(57)【要約】【課題】梱包箱の内側に取り付ける緩衝部材において、部品点数を増やすことなく、また接着剤や接着治具を用いることなく、そして簡単に組み立てることができるようにする。【解決手段】展開状態において平板状の基部１の略中央部に、四角形状の抜き孔１１を形成する。また抜き孔１１の向かい合う二辺１１１ａ，１１１ｂのそれぞれの両端から、向かい合う二辺１１１ａ，１１１ｂに対して垂直に、且つ抜き孔１１に繋がるように切込み１２ａ，１２ｂ，１２ｃ，１２ｄを形成する。そして向かい合う二辺１１１ａ，１１１ｂが接触するように基部１を変形すると、基部１から突出して緩衝部２ａ、２ｂが形成される。【選択図】図２
2008050034.tif 000002
【特許請求の範囲】
【請求項１】
梱包箱の内側に取り付ける緩衝部材であって、
展開状態において平板状の基部を備え、基部の略中央部に四角形状の抜き孔が形成され、抜き孔の向かい合う二辺のそれぞれの両端から、当該向かい合う二辺に対して垂直に、且つ抜き孔に繋がるように切込みが形成され、
前記向かい合う二辺が接触するように基部を変形することによって、基部から突出して緩衝部が形成されることを特徴とする梱包箱用の緩衝部材。
【請求項２】
前記緩衝部の形状を直方体状とした請求項１記載の緩衝部材。
【請求項３】
前記基部の向かい合う側辺に折曲線を介して側壁部が連設されている請求項１又は２記載の緩衝部材。
【請求項４】
前記折曲線に対して垂直で且つその中央部が前記折曲線の位置となるように第２の切込みが形成され、第２の切込みの両端および中央に、第２の切込みに対して垂直方向で且つ側辺に至る第２の折曲線が形成され、
基部に対して側壁部を略垂直に折り曲げるとともに、前記第２の折曲線を折り曲げることによって、基部の両端に第２の緩衝部が形成される請求項３記載の緩衝部材。
【発明の詳細な説明】
【技術分野】
【０００１】
本発明は緩衝部材に関し、より詳細には被梱包物を梱包箱に収納する際に位置決めすると共に、外部衝撃から被梱包物を保護する緩衝部材に関するものである。
【背景技術】
【０００２】
被梱包物を梱包箱に収納する場合、被梱包物のがたつきを防止すると共に外部衝撃から被梱包物を守るため、被梱包物と収納箱との間に緩衝部材を配置していた。図５に示すように、発泡材からなる緩衝部材８ａ，８ｂ，８ｃ，８ｄを梱包箱６の四隅部分に配置することにより、優れた緩衝作用が得られていた（例えば特許文献１）。
【０００３】
ところが、近年の環境意識の高まりを受けて緩衝部材についてもリサイクル可能とすることが市場から強く望まれ、発泡スチロールなどの発泡材に代えて、段ボール紙や硬質紙などのシート材を折り曲げて作製した緩衝部材が広く行われるようになってきた（例えば特許文献２）。
【特許文献１】特開２００３−２３７８４６号公報
【特許文献２】特開２００２−３３２０７１号公報
【発明の開示】
【発明が解決しようとする課題】
【０００４】
図６に示す被梱包物７の梱包は、段ボール紙などからなる緩衝部材９ａ，９ｂ，９ｃを梱包箱６の内底面や内側壁に取り付け、緩衝部材間の空間に被梱包物７を収納するものである。しかし、このような梱包方法では、部品点数が多くなると同時に梱包箱６に緩衝部材を取り付ける作業が必要となり、生産コストの増加および生産性の低下が生じる。加えて、使用後に梱包箱６から緩衝部材を分離し、分解するのに手間取るという問題もあった。
【０００５】
本発明はこのような従来の問題に鑑みてなされたものであり、その目的とするところは、部品点数を増加させることなく、また接着剤や接着治具を用いることなく梱包箱内に設置できる緩衝部材を提供することにある。
【０００６】
また本発明の目的は、簡単に組み立てることができ、梱包時は組立状態を維持し、そして使用後は簡単に展開状態に戻すことができる緩衝部材を提供することにある。
【課題を解決するための手段】
【０００７】
本発明によれば、梱包箱の内側に取り付ける緩衝部材であって、展開状態において平板状の基部を備え、基部の略中央部に四角形状の抜き孔が形成され、抜き孔の向かい合う二辺のそれぞれの両端から、当該向かい合う二辺に対して垂直に、且つ抜き孔に繋がるように切込みが形成され、前記向かい合う二辺が接触するように基部を変形することによって、基部から突出して緩衝部が形成されることを特徴とする梱包箱用の緩衝部材が提供される。
【０００８】
ここで、被梱包物の収納時の位置決め及び形状維持性の観点から、前記緩衝部の形状は直方体状とするのが好ましい。
【０００９】
また、被梱包物の側面を保護すると共に、緩衝部材を梱包箱内にきっちりと填め込む観点から、前記基部の向かい合う側辺に折曲線を介して側壁部を連設するのが好ましい。そして、緩衝作用を一層向上させる観点から、前記折曲線に対して垂直で且つその中央部が前記折曲線の位置となるように第２の切込みを形成し、第２の切込みの両端および中央に、第２の切込みに対して垂直方向で且つ側辺に至る第２の折曲線を形成し、基部に対して側壁部を略垂直に折り曲げるとともに、前記第２の折曲線を折り曲げることによって、基部の両端に第２の緩衝部が形成されるようにするのが好ましい。
【発明の効果】
【００１０】
本発明の緩衝部材では、基部の略中央部に形成された四角形状の抜き孔の、向かい合う二辺が接触するように基部を変形することによって、基部から突出して緩衝部が形成されるので、緩衝部を基部に接着剤で取り付ける作業が不要となり、生産性が格段に向上する。また従来に比べて簡単に組み立てることができ、また使用後は簡単に展開状態に戻すことができ、作業効率が飛躍的に向上する。
【００１１】
また、前記緩衝部の形状を直方体状とすると、被梱包物の収納時の位置決め及び形状維持性が向上する。
【００１２】
前記基部の向かい合う側辺に折曲線を介して側壁部を連設すると、被梱包物の側面もさらに保護することができるようになる。また同時に、緩衝部材を梱包箱内にきっちりと填め込める。さらに、前記折曲線に対して垂直で且つその中央部が前記折曲線の位置となるように第２の切込みを形成し、第２の切込みの両端および中央に、第２の切込みに対して垂直方向で且つ側辺に至る第２の折曲線を形成し、基部に対して側壁部を略垂直に折り曲げるとともに、前記第２の折曲線を折り曲げることによって、基部の両端に第２の緩衝部が形成されるようにすると、緩衝作用を一層向上させることができるようになる。
【発明を実施するための最良の形態】
【００１３】
以下、本発明に係る緩衝部材について図に基づいて説明するが、本発明はこれらの実施形態に何ら限定されるものではない。
【００１４】
図１は、本発明に係る緩衝部材の一例を示す展開図である。図２は、図１の緩衝部材を組み立て（変形）途中の斜視図である。図１の緩衝部材は、長方形状の基部１の略中央部に、長方形状の抜き孔１１が形成されている。そして抜き孔１１の左右の向かい合う二辺１１１ａ，１１１ｂのそれぞれの両端に、当該二辺１１１ａ，１１１ｂに対して垂直に切込み１２ａ，１２ｂ，１２ｃ，１２ｄ（総称して「切込み１２」と記すことがある）が形成されている。この切込み１２と抜き孔１１とによって、抜き孔１１の両側に桟部１０ａ、１０ｂが形成される。抜き孔１１を塞ぐように基部１を変形すると、この桟部１０ａ，１０ｂが基部１から突出して緩衝部２ａ，２ｂ（図２に図示）が形成される。緩衝部２ａ，２ｂの形状は、切込み１２の長さ（Ｘ）と、抜き孔１１の辺の長さ（Ｙ）と、折曲げ位置とによって決まる。緩衝部２ａ，２ｂの形状については後述する。
【００１５】
一方、基部１の左右両辺には、折曲線４１ａ，４１ｂを介して側壁部３ａ，３ｂが基部１と一体に形成されている。そして、折曲線４１ａ，４１ｂに対して垂直で且つその中央部が折曲線４１ａ，４１ｂの位置となるように第２の切込み１３ａ，１３ｂ，１３ｃ，１３ｄ（総称して「第２の切込み１３」と記すことがある）が、それぞれの側壁部３ａ，３ｂの両側部に形成されている。そして、第２の切込み１３の両端および中央部に、側辺に至る谷折り線（第２の折曲線）４２ａ，４２ｃと山折り線（第２の折曲線）４２ｂが形成されている。
【００１６】
このような構造の緩衝部材を梱包箱６（図３に図示）に取り付ける場合には、緩衝部材を変形させて緩衝部２ａ，２ｂを形成させる。具体的には図２に示すように、基部１に形成された抜き孔１１を塞ぐように、抜き孔１１の左右両辺１１１ａ，１１１ｂを接触させる。すると、基部１から桟部１０ａ，１０ｂが突出して緩衝部２ａ，２ｂが形成される。この実施形態の緩衝部材では、切込み１２の長さ（Ｘ）が、緩衝部材の変形量(Ｙ)の１／２とされているので、切込み１２の長さ（Ｘ）がちょうど緩衝部２ａ，２ｂの高さとなって、側面視において緩衝部２ａ，２ｂは長方形状となる。
【００１７】
そして基部１に連設された側壁部３ａ，３ｂを、折曲線４１ａ，４１ｂで基部１に対して略垂直に折り曲げる。このとき、第２の切込み１３の両端の谷折り線４２ａ，４２ｃおよび中央部の山折り線４２ｂで折り曲げることによって、基部１の四隅に第２の緩衝部５ａ，５ｂ，５ｃ，５ｄが形成される。
【００１８】
図３に、緩衝部材の組立完成図を示す。基部１の向かい合う側辺の中央部および両端部には緩衝部２ａ，２ｂ，５ａ，５ｂ，５ｃ，５ｄが形成される。そして、この組立られた緩衝部材を梱包箱６に填め入れる。緩衝部材の基部１の外形は梱包箱６の内底面と略同一とされ、緩衝部材の側面部は梱包箱６の内側壁と同一又は若干低く設定されているので、緩衝部材を梱包箱６に填め入れると、梱包箱６によって、緩衝部材が展開状態に戻ることが阻止され、緩衝部材は組立状態を安定して維持する。
【００１９】
そして、梱包箱６に填め入れられた緩衝部材の緩衝部間の領域に被梱包物７が填め入れられる。被梱包部材７は、緩衝部２ａ，２ｂ，５ａ，５ｂ，５ｃ，５ｄの側面によって位置決めされると共にそのがたつきが防止される。また外部からの衝撃に対しては緩衝部２ａ，２ｂ，５ａ，５ｂ，５ｃ，５ｄが衝撃を吸収して、被梱包物７の損傷が防止される。
【００２０】
緩衝部の形状に特に限定はなく、被梱包物７と梱包箱６との隙間、被梱包物の形状や大きさ、重さなどから適宜決定すればよい。緩衝部の形状は、図１に示す切込み１２の長さ（Ｘ）と抜き孔１１の辺の長さ（Ｙ）、折曲げ位置によって種々の形状にすることができる。前記実施形態では緩衝部２ａ，２ｂの形状を直方体状としているが、例えば図４に示すように、側面視において台形状の緩衝部２１（同図（ａ））や逆台形状の緩衝部２２（同図（ｂ））、円弧状の緩衝部２３（同図（ｃ））であってもよい。また緩衝部の大さ（長さ）は、切込みの長さ（Ｘ）と抜き孔１１の辺の長さ（Ｙ）によって決定される。また緩衝部の幅は、広いほど高い緩衝作用が得られるが梱包箱の外形が大きくなる。したがって、梱包箱の外形および被梱包物の大きさ・重さなどを考慮し、緩衝部材の材質を含めて緩衝部の幅を決定すればよい。
【００２１】
また緩衝部材の材質は、被梱包物の重さなどから適宜決定すればよく、例えば段ボール紙や硬質紙などが例示される。
【００２２】
なお、図３に示した実施形態では、１枚の緩衝部材で前後方向の位置決め及び緩衝作用を奏しているが、さらにもう１枚の緩衝部材を、図の左右方向に緩衝部が位置するように既存の緩衝部材に重ねて設置して、前後・左右の位置決め及び緩衝作用を奏するようにしても勿論構わない。また緩衝部材は、側壁部を有さず基部のみからなるものであっても勿論構わない。
【図面の簡単な説明】
【００２３】
【図１】本発明に係る緩衝部材の一例を示す展開図である。
【図２】図１の緩衝部材の組立斜視図である。
【図３】図１の緩衝部材を用いて被梱包物を梱包する概説図である。
【図４】緩衝部の他の例を示す部分斜視図である。
【図５】従来の緩衝部材を示す斜視図である。
【図６】従来の緩衝部材を示す斜視図である。
【符号の説明】
【００２４】
１    基部
２ａ，２ｂ    緩衝部
３ａ，３ｂ    側壁部
５ａ，５ｂ，５ｃ，５ｄ    第２の緩衝部
１１    抜き孔
１２ａ，１２ｂ，１２ｃ，１２ｄ    切込み
１３ａ，１３ｂ，１３ｃ，１３ｄ    第２の切込み
４１ａ，４１ｂ    折曲線
４２ａ，４２ｂ，４２ｃ    折曲線
１１１ａ，１１１ｂ    抜き孔の向かい合う二辺
【図１】
2008050034.tif 000003
【図２】
2008050034.tif 000004
【図３】
2008050034.tif 000005
【図４】
2008050034.tif 000006
【図５】
2008050034.tif 000007
【図６】
2008050034.tif 000008